(57)【要約】【課題】指示入力位置を示す指示位置データを逐次を出力するとともに、指示入力を行うペン若しくは指を用いた押圧操作で押圧検出データを出力する指示入力装置を提供する。【解決手段】任意の指示入力情報（１１）を表示可能な表示パネル（４）と、表示領域が目視可能な入力操作領域（９Ａ）への指示入力を検出し、指示入力位置を示す指示位置データを出力する光学式タッチパネル（９）を備えた指示入力装置の表示パネル（４）の表面を保護する透明保護板（５）に圧電基板（６Ａ、６Ｂ）を固着する。指示入力を行いながら、その下方に配置された透明保護基板を押圧すると、圧電基板（６Ａ、６Ｂ）から電気信号が出力されるので、この出力により押圧と判定し、押圧検出データを指示位置データとともに出力する。【選択図】　図２
2004127073.tif 000002
【特許請求の範囲】
【請求項１】
表示領域に、任意の指示入力情報（１１）を表示可能な表示パネル（４）と、
表示パネル（４）の表示領域上に積層される透明保護板（５）と、
透明保護板（５）に固着され、透明保護板（５）が押圧されることによる歪みを電気信号に変換して出力する圧電基板（６Ａ、６Ｂ）と、
透明保護板（５）上に配設され、透明保護板（５）を介して表示領域が目視可能な入力操作領域（９Ａ）に、直交するＸ、Ｙ方向に沿って網目状に光ビームを発光走査し、指示入力により光ビームが遮断されることから、入力操作領域（９Ａ）への指示入力と指示入力位置を検出する光学式タッチパネル（９）とを備え、
光学式タッチパネル（９）が指示入力を検出している間に、指示入力位置を表す指示位置データを出力するとともに、
指示入力を検出している間に、圧電基板（６Ａ、６Ｂ）から電気信号が出力され透明保護板（５）への押圧と判定したときには、押圧検出データを併せて出力することを特徴とする指示入力装置。
【請求項２】
表示領域に、任意の指示入力情報（１１）を表示可能な表示パネル（４）と、
表示パネル（４）の表示領域上に積層される透明保護板（５）と、
透明保護板（５）に固着され、透明保護板（５）が押圧されることによる歪みを電気信号に変換して出力する圧電基板（６Ａ、６Ｂ）と、
透明保護板（５）上に配設され、透明保護板（５）を介して表示領域が目視可能な入力操作領域（９Ａ）に、直交するＸ、Ｙ方向に沿って網目状に光ビームを発光走査し、指示入力により光ビームが遮断されることから、入力操作領域（９Ａ）への指示入力と指示入力位置を検出する光学式タッチパネル（９）とを備え、
光学式タッチパネル（９）が指示入力を検出している間に、圧電基板（６Ａ、６Ｂ）から電気信号が出力され透明保護板（５）への押圧と判定することを条件に、光学式タッチパネル（９）で検出した指示位置データを出力することを特徴とする指示入力装置。
【請求項３】
一対の細長帯状の圧電基板（６Ａ、６Ｂ）が、互いに直交して透明保護板（５）に固着されることを特徴とする請求項１または２のいずれか１項に記載の指示入力装置。
【発明の詳細な説明】
【０００１】
【発明の属する技術分野】
本発明は、表示パネルに表示される指示入力情報を見ながら、所定の命令を実行させる指示入力装置に関し、更に詳しくは、光学式タッチパネルを用いて指示入力位置を検出し、指示入力情報の表示位置を押圧することにより、指示入力情報について対応づけられた所定の命令の実行させる指示入力装置に関する。
【０００２】
【従来の技術】
従来、ＣＲＴや液晶表示装置で構成された表示パネル上に、光学式タッチパネルを積層させた指示入力装置が知られている（例えば特許文献１参照）。表示パネルには、種々の指示入力の為の情報が表示され、操作者は、光学式タッチパネルの入力操作領域において、これらの表示をみながら、対応する位置を指示入力する。
【０００３】
【特許文献１】
特公平７−８２４１９号（第２頁、第１図）
【０００４】
以下、この種の従来の指示入力装置１００を図４と図５で説明すると、指示入力装置１００は、ケース１０１上に、下方から液晶表示パネル１０２、液晶表示パネル１０２の表面を保護する透明ガラス基板１０３、光学式タッチパネル１０４が積層配置されている。
【０００５】
液晶表示パネル１０２は、指示入力の用途に応じて、図示しない液晶ドライバーにより、その表示領域へ複数の指示入力情報１０５、１０５を所定位置に表示させ、操作者はこの指示入力情報１０５を目安に後述する指示入力を行う。
【０００６】
光学式タッチパネル１０４は、矩形枠１０７の直交するＸ、Ｙ方向の２辺に沿って等間隔に取り付けられた発光素子１０８、１０８・・を順次発光走査し、矩形枠１０７内の入力操作領域１０７Ａを挟み対向位置に個々に対応して配設された受光素子１０９、１０９・・で受光する。
【０００７】
操作者がペン若しくは指を入力操作領域１０７Ａ内の所定の指示入力位置へ置くと、その指示入力位置を通過する光ビームが遮断されるので、その光路上の受光素子１０９が、対となる発光素子１０８の発光タイミングで受光せず、これにより光学式タッチパネル１０４への指示入力と、指示入力位置のＸ、Ｙ座標が検出される。
【０００８】
矩形枠１０７で囲まれる入力操作領域１０７Ａは、液晶表示パネル１０２の表示領域上にあるので、操作者は、液晶表示パネル１０２の指示入力情報１０５を、透明ガラス基板１０３を介し上方から見ながら、指示入力を行うことができる。
【０００９】
また、指示入力装置１００は、指示入力を検出した後に、操作者が入力操作領域１０７Ａの指示位置からペン若しくは指を除いたこと検出すると、指示位置で所定の命令を実行する押圧検出データを出力するようになっている。
【００１０】
一方、いくつかの指示入力情報１０５には、その上方の入力操作領域１０７Ａに、指示入力エリア１０６（図中破線で表示）が設定されている。指示入力エリア１０６には、指示入力情報１０５が表す所定の命令が対応づけられ、その指示入力エリア１０６内が指示入力され、かつ押圧検出データが出力されると、その対応づけられた命令を実行するものである。
【００１１】
従って、操作者は、所定の指示入力情報１０５の表示位置を指示入力してから、つまり、設定指示入力エリア１０６内を指示入力し、入力操作領域１０７Ａの指示位置からペン若しくは指を除くと、その指示入力情報１０５が表す所定の命令が実行される。
【００１２】
【発明が解決しようとする課題】
この従来の指示入力装置１００では、入力操作領域１０７Ａへの指示入力と、その指示入力位置を検出し、かつ、操作者が指示入力を解除したときに、所定の命令を実行させる押圧検出データを出力できるので、操作者は、指示入力情報１０５をみながら、指示入力位置を変更させたり、特定の指示入力位置で対応づけられた命令を実行させることができる。
【００１３】
しかしながら、指示入力の解除の際に、常に押圧位置データが出力されるので、操作者が単に操作を終了しようとペン若しくは指を除く場合であっても、その解除位置に指示入力エリア１０６が設定されていると、所定の命令が誤って実行されてしまうという問題があった。
【００１４】
従って、操作者は指示入力を解除する際に、その解除位置に注意を払う必要があり、また、操作の途中で中断して考えたり、休むことができないものであった。
【００１５】
押圧検出データを出力するために、別の押圧検出スイッチ機構などを取り付けたり、付属させたりすることも可能であるが、装置全体が大型化し、また、指示入力を行う同じ指やペンで押圧検出スイッチ機構を操作できないので、両手を使わなければ操作ができないという問題があった。
【００１６】
また、瞬間的にも光ビームが遮断されると指示入力とするので、例えば、水滴や虫等が入力操作領域１０７Ａを通過しただけで、誤動作するという問題があった。
【００１７】
本発明は、このような従来の問題点を考慮してなされたものであり、指示入力位置を示す指示位置データを逐次を出力するとともに、指示入力を行うペン若しくは指を用いた押圧操作で押圧検出データを出力する指示入力装置を提供することを目的とする。
【００１８】
また、光学式タッチパネルを指示入力の検出に用いても、水滴、虫などによる誤動作が生じない指示入力装置を提供することを目的とする。
【００１９】
【課題を解決するための手段】
【００２０】
請求項１の指示入力装置は、表示領域に、任意の指示入力情報を表示可能な表示パネルと、表示パネルの表示領域上に積層される透明保護板と、透明保護板に固着され、透明保護板が押圧されることによる歪みを電気信号に変換して出力する圧電基板と、透明保護板上に配設され、透明保護板を介して表示領域が目視可能な入力操作領域に、直交するＸ、Ｙ方向に沿って網目状に光ビームを発光走査し、指示入力により光ビームが遮断されることから、入力操作領域への指示入力と指示入力位置を検出する光学式タッチパネルとを備え、
光学式タッチパネルが指示入力を検出している間に、指示入力位置を表す指示位置データを出力するとともに、指示入力を検出している間に、圧電基板から電気信号が出力され透明保護板への押圧と判定したときには、押圧検出データを併せて出力することを特徴とする。
【００２１】
光学式タッチパネルの入力操作領域から、表示パネルの表示領域が目視可能であり、操作者は、指示入力情報を見ながら、入力操作領域に指等を挿入し指示入力を行うことができる。光学式タッチパネルは、指示入力を検出している間に、検出した指示入力位置を表す指示位置データを逐次出力する。従って、指示入力位置に応じて、所定の動作や表示を行うことができる。
【００２２】
また、透明保護板を押圧すると、透明保護板が撓むことにより圧電基板から電気信号が出力され、押圧検出データが出力される。従って、任意の位置で指示入力を解除することなく、所定の命令を実行させることができる。
【００２３】
表示パネルの表面を外力から保護する透明保護板に圧電基板を固着するだけで、押圧を検出できるので、圧電基板のわずかな取り付けスペースを加えるだけで、指示入力装置全体が大型化することなく、押圧を検出できる。
【００２４】
また、透明保護板は、入力操作領域の下方に配設されているので、指示入力を行う指等で透明保護板を押圧操作することができ、指示入力と押圧を連続した操作で行うことができる。
【００２５】
また、請求項２の指示入力装置は、表示領域に、任意の指示入力情報を表示可能な表示パネルと、表示パネルの表示領域上に積層される透明保護板と、透明保護板に固着され、透明保護板が押圧されることによる歪みを電気信号に変換して出力する圧電基板と、透明保護板上に配設され、透明保護板を介して表示領域が目視可能な入力操作領域に、直交するＸ、Ｙ方向に沿って網目状に光ビームを発光走査し、指示入力により光ビームが遮断されることから、入力操作領域への指示入力と指示入力位置を検出する光学式タッチパネルとを備え、
光学式タッチパネルが指示入力を検出している間に、圧電基板から電気信号が出力され透明保護板への押圧と判定することを条件に、光学式タッチパネルで検出した指示位置データを出力することを特徴とする。
【００２６】
光学式タッチパネルの入力操作領域から、表示パネルの表示領域が目視可能であり、操作者は、指示入力情報を見ながら、入力操作領域に指等を挿入し指示入力を行うことができる。
【００２７】
光学式タッチパネルは、指示入力を検出している間に、指示入力位置を検出するが、指示入力位置を表す指示入力データの出力は、透明保護板への押圧を条件とするので、水滴や虫などが入力操作領域での光ビームを一時的に遮断しても、指示位置データは出力されず、誤動作がない。
【００２８】
透明保護板への押圧の検出は、表示パネルの表面を外力から保護する透明保護板に圧電基板を固着するだけできるので、圧電基板のわずかな取り付けスペースを加えるだけで、指示入力装置全体が大型化することなく、押圧を検出できる。
【００２９】
また、請求項３の指示入力装置は、一対の細長帯状の圧電基板が、互いに直交して透明保護板に固着されることを特徴とする。
【００３０】
一対の圧電基板が、互いに直交して固着されるので、透明保護板が押圧によりいずれの方向に撓んでも、いずれかの圧電基板がその歪みを検出するので、押圧を確実に検出できる。
【００３１】
【発明の実施の形態】
以下、本発明に係る指示入力装置１の一実施の形態を、図１乃至図３で説明する。本実施の形態に係る指示入力装置１は、銀行に備えられた現金自動引き出し機の入力装置として用いられるもので、指示入力装置１全体は、現金自動引き出し機の表面に沿って取り付けられる。
【００３２】
指示入力装置１は、液晶表示パネル４と、液晶表示パネル４の表面を覆う透明保護板５と、透明保護板５の直交する周囲の２辺に沿って固着された一対の圧電基板６Ａ、６Ｂと、複数対の発光素子７と受光素子８を備えた光学式タッチパネル９とで構成され、これらは、合成樹脂製のケース３内に収容されている。
【００３３】
ケース３は、現金自動引き出し機の筺体２の操作面となる表面に沿って取り付けられる直方体状で、図２に示すように、筺体２の内側からフランジ部３ａを貫通するネジ１０でネジ止めされる。
【００３４】
ケース３の上板には、光学式タッチパネル９の入力操作領域９Ａとなる長方形状の開口が形成され、この入力操作領域９Ａに透明保護板５を介して液晶表示パネル４の表示領域が臨むように、液晶表示パネル４と透明保護板５がケース３内に位置決め収容される。
【００３５】
また、液晶表示パネル４、圧電基板６Ａ、６Ｂ、光学式タッチパネル９と図３に示す各回路素子とは、それぞれケース３から引き出される図示しないケーブルにより接続されている。
【００３６】
液晶表示パネル４は、指示入力を行うための任意の指示入力情報１１を表示領域の任意位置に表示することができ、これらの表示制御は、図示しない液晶ドライバーにより行われる。
【００３７】
ここでは、指示入力装置１が銀行の現金自動引き出し機に用いられるので、図１に示すように、操作方法を案内する表示、現金の預け入れ、引き出しに関する表示等の指示入力情報１１が、初期画面として表示される。
【００３８】
尚、液晶表示パネル４の背面とケース３との間には、背面に反射膜が貼り付けられた図示しないバックライトパネルが配置され、バックライト光源からの光を散乱させて液晶表示パネル４の背面側から照光し、指示入力情報１１を見易くしている。
【００３９】
透明保護板５は、液晶表示パネル４の表面を覆うように、粘着シート１２を介して液晶表示パネル４表面に沿って積層される。粘着シート１２によって液晶表示パネル４の表面に取り付けられることにより、透明保護板５は拘束されずに自由に変形し、後述するように透明保護板５への押圧による撓みから押圧を検出することができる。
【００４０】
一対の圧電基板６Ａ、６Ｂは、それぞれ圧電単結晶、ＰＺＴ（チタンジルコン酸鉛）磁器に代表される圧電セラミック、ポリフッ化ビニリデン（ＰＶＤＦ）等の圧電材料で形成した単層の基板で、ここでは、機械的な耐久性があり、最も広く利用されているＰＺＴ系の圧電磁器材料からなる圧電セラミックス板を用い、直交するＸ方向とＹ方向に沿って透明保護板５の端面に沿うように、細長帯状の薄板に形成している。
【００４１】
圧電基板６Ａ、６Ｂを、単層の薄板構造とすると、その表面に固着される引き出し電極と合わせてもその高さを２００μｍ程度とすることができ、かさばらないので、従来使用されている透明保護板５に対して、取付スペースを考慮せずにいずれの部位にも固着できる。
【００４２】
本発明では、圧電基板６Ａ、６Ｂによる圧電効果を利用（機械的歪みから発生する電圧信号を利用）するもので、透明保護板５に発生する歪みを圧電基板６Ａ、６Ｂへ伝達させるために、エポキシ系、アクリル系など種々の接着剤を塗布し、透明保護板５の端面に沿って固着する。
【００４３】
これにより、透明保護板５が押圧されると、その撓みが圧電基板６Ａ、６Ｂに伝達され、圧電基板６Ａ、６Ｂが撓むことにより電圧が出力される。
【００４４】
圧電基板６Ａ、６Ｂは、透明保護板５の端面に取り付けられるので、表示領域上を覆うことがなく、入力操作領域９Ａ周囲のケース３内に収容されるので、外部からは見えない。しかしながら、圧電基板６Ａ、６Ｂの取付位置は、透明保護板５への歪みを検出できれば、いずれの位置でもよい。
【００４５】
光学式タッチパネル９は、ケース３の開口（入力操作領域９Ａ）周囲に沿って配置される多数の発光素子７と受光素子８を備え、入力操作領域９Ａへの指、ペン等による指示入力と、その指示入力位置を検出するものである。
【００４６】
図１に示すように、発光素子７は、入力操作領域９Ａ周囲の直交するＸ方向とＹ方向に沿って内向きに等間隔に配置され、対をなす受光素子８は、入力操作領域９Ａを挟み、対となる発光素子７と対向するケース３内に配置される。
【００４７】
このように配置された各発光素子７を順次発光走査すると、入力操作領域９Ａには、図１の一点鎖線で示す網目状の走査光路が形成される。この入力操作領域９Ａ内に、操作者がペン若しくは指１１をおいて指示入力すると、その指示入力位置を通過するＸ、Ｙ方向の光ビームが遮断される。
【００４８】
その結果、その光路上にある受光素子８は、それぞれ対となる発光素子７の発光タイミングで発光素子７の光ビームを受光しないこととなるので、これにより、操作者の指示入力と、その指示入力位置を表すＸ、Ｙ座標を検出する。
【００４９】
入力操作領域９Ａには、必要に応じて、現金自動引き出し機に対する所定の命令が対応づけられた指示入力エリア１３（図中破線で表示）が仮想設定される。指示入力エリア１３は、その命令を表す指示入力情報１１の表示位置上の入力操作領域９ＡにＸ、Ｙ座標で表される長方形の輪郭でその周囲としきられる。
【００５０】
従って、操作者は、透明保護板４を通して液晶表示パネル４に表示される指示入力情報１１を上方から見ながら、その上方の入力操作領域９Ａへ指若しくはペンを挿入して、指示入力情報１１についての指示入力エリア１３内に指示入力を行うことができる。
【００５１】
図３は、上述の押圧の判定と、指示入力及び指示入力位置の検出を行うために指示入力装置１に備えられた各回路素子をブロック図で表したもので、以下、指示入力装置１の動作を、このブロック図を用いて説明する。
【００５２】
入力操作領域９ＡのＸ、Ｙ方向に沿って配置される複数の発光素子７は、定電流回路１４に接続し、定電流が流れると光ビームを発光するＬＥＤで構成される。各発光素子７は、更にこの定電流回路１４を介してＣＰＵ１５により個々に接続制御されるＬＥＤマルチプレクサ１６に接続し、定電流回路１４は、更にＤ／Ａコンバータ１７を介してＣＰＵ１５に接続している。これにより、ＣＰＵ１５は、所定の走査タイミングで個々の発光素子７へその配置順に駆動電流を流し、光ビームを発光させる。
【００５３】
一方、入力操作領域９Ａを挟んで複数の発光素子７に個々に対向するように配置された複数の受光素子８は、光ビームを受光して受光信号を出力するフォトトランジスタで構成され、それぞれＣＰＵ１５により個々に積分回路１９との接続が制御されるＰｔｒマルチプレクサ１８に接続している。ＣＰＵ１５は、前記駆動電流を流し発光制御した発光素子７に対向する受光素子８を、その発光制御に同期させて積分回路１９へ接続する。積分回路１９の出力は、Ａ／Ｄコンバータ２５を介してＣＰＵ１５へ入力されるので、入力操作領域９Ａにおいて光ビームが遮断されない限り、つまり指示入力がない限り、ＣＰＵ１５は、各発光素子７を発光走査するタイミングで、積分回路１９から積分された受光信号を得る。
【００５４】
また、入力操作領域９Ａへの指示入力があると、指示入力位置を通過するＸ、Ｙ方向の光ビームが遮断されるので、ＣＰＵ１５は、入力されるべき受光信号が途絶えることとと、そのタイミングから、操作者の指示入力と、指示入力位置を表すＸ、Ｙ座標を検出する。
【００５５】
透明保護板５の端面に固着された圧電基板６Ａ、６Ｂは、それぞれ増幅回路２０を介してＣＰＵ１５の入力に接続している。透明保護板５を押圧すると、その歪みが圧電基板６Ａ、６Ｂに伝達され、圧電基板６Ａ、６Ｂが歪むことにより発生する電圧信号は、増幅回路２０で増幅され、ＣＰＵ１５へ入力される。
【００５６】
ＣＰＵ１５は、増幅回路２０から入力される電圧信号の電圧が所定のしきい値以上となったときに、透明保護板５への押圧と判定する。ここで設定されるしきい値は、透明保護板５が所定の押圧力以上の力で意識的に押圧したときに、増幅回路２０から出力される電圧に設定され、操作者が無意識的に透明保護板５に触れただけでは、押圧と判定しないようしている。
【００５７】
尚、圧電基板６Ａ、６Ｂは、透明保護板５の互いに直交するＸ方向とＹ方向に沿った端面に固着されるので、透明保護板５上のいずれの位置が押圧されても、いずれかの圧電基板６Ａ、６Ｂにその撓みが伝達され、押圧と判定できる。
【００５８】
ＣＰＵ１５の出力は、入出力インターフェース２１を介してホストコンピュータ２２に接続し、入出力インターフェース２１を介して、指示入力の検出している間、指示入力位置を表す指示位置データを出力し、また押圧と判定した場合には、押圧検出データを指示位置データとともに出力する。
【００５９】
ＣＰＵ１５に接続されたＲＯＭ２３、ＲＡＭ２４は、上記ＣＰＵ１５の動作を実行させるプログラム、押圧判定のしきい値等を記憶したり、入力されたデータを一時記憶する記憶部である。
【００６０】
ホストコンピュータ２２は、図示しない液晶ドライバーに所定の表示制御信号を出力し液晶表示パネル４の表示を制御したり、現金自動引き出し機に対して所定の命令を実行させるように動作する。
【００６１】
本実施の形態では、ホストコンピュータ２２に指示入力位置を表す指示位置データが入力されると、液晶表示パネル４の指示入力位置に相当する表示領域にカーソルを表示し、操作者へ指示入力の検出とその検出した指示入力位置を伝えるようにしている。
【００６２】
また、同時に指示位置データが入力される限り、指示位置データが表す指示入力位置が設定したいずれかの指示入力エリア１３内にあるかどうかを常時判定し、特定の指示入力エリア１３内にあり、かつ押圧検出データが入力されたときには、その指示入力エリア１３に対応づけられた現金自動引き出し機に対する所定の命令を実行する。
【００６３】
従って、例えば、操作者が図１に示す「お預け入れ」と表示された指示入力情報１１へ指を指しだし、その表示領域上の透明保護板４を押圧すると、指示入力情報１１上に設定された指示入力エリア１３内を示す指示位置データと押圧検出データがホストコンピュータ２２へ出力されるので、現金自動引き出し機に対して「預け入れ」の為の動作、例えば、液晶表示パネル４へ預け入れ金額を入力するための指示入力情報１１を表示させたり、紙幣を預け入れる為の蓋を開制御するなどの動作を実行させる。
【００６４】
尚、これらの動作を行うホストコンピュータ２２は、指示入力装置１内に配置されるものであってもよく、また、ホストコンピュータ２２の動作は、ＣＰＵ１５が行ってもよい。
【００６５】
また、上述の実施の形態では、押圧と判定した際に、指示位置データと押圧検出データを出力して所定の命令を実行するものであったが、ＣＰＵ１５において通常は押圧を検出しても指示位置データを出力せず、押圧と判定することを条件に、指示位置データを出力する指示入力装置としてもよい。
【００６６】
この指示入力装置によれば、入力操作領域９Ａに虫、水滴等が通過して光りビームが一時的に遮断されても、遮断位置を示す指示位置データが誤って出力されることがなく、操作者の押圧操作による意思で確実に指示入力を行うことができる。
【００６７】
また、表示パネルは、液晶表示パネル４であったが、ブラウン管、プラズマディスプレー等、平面上の任意位置に種々の指示入力情報を表示できるものであれば、いずれであってもよい。
【００６８】
また、透明保護板５に固着される圧電基板は、その押圧による歪みを検出できれば、１対に限らず、１枚若しくは３枚以上に分割したものであってもよい。
【００６９】
尚、圧電基板の出力側とＣＰＵ１５との間に積分回路を設ければ、ＣＰＵ１５には、押圧力に応じた歪みの大きさを表す電気信号が入力され、ＣＰＵ１５において透明保護板５への押圧力の大きさ表す押圧力データも出力できる。
【００７０】
【発明の効果】
以上説明したように、請求項１の発明によれば、光学式タッチパネルへ指示入力を行いながら透明保護板を押圧して、指示入力位置を示す指示位置データと透明保護板への押圧を表す押圧検出データを併せて出力することができ、マウスを移動させながらそのスイッチを押圧操作した際に出力されるデータに相当するデータを出力できる。
【００７１】
表示パネルの表示領域を保護する透明保護基板に圧電基板を固着するだけなので、指示入力装置を大型化することなく、既存の部品をそのまま用いて押圧を検出できる。
【００７２】
請求項２の発明によれば、透明保護板への押圧を条件として指示入力データが出力されるので、水滴や虫などが入力操作領域での光ビームを一時的に遮断しても、指示位置データは出力されず、誤動作がない。
【００７３】
また、押圧を検出するための構成は、表示パネルの表示領域を保護する透明保護板に圧電基板を固着するだけなので、従来の指示入力装置の構成をそのまま利用することができる。
【００７４】
また、請求項３の発明によれば、更に、一対の圧電基板が、互いに直交して透明保護板に固着されるので、押圧により透明保護板がいずれの方向に歪んでも、いずれかの圧電基板にその歪みが伝達され、押圧を確実に検出できる。
【図面の簡単な説明】
【図１】本発明に係る指示入力装置１の斜視図である。
【図２】指示入力装置１の縦断面図である。
【図３】指示入力装置１の回路構成を示すブロック図である。
【図４】従来の指示入力装置１００の分解斜視図である。
【図５】指示入力装置１００の縦断面図である。
【符号の説明】
１　　　　　指示入力装置
４　　　　　表示パネル
５　　　　　透明保護板
６Ａ、６Ｂ　圧電基板
９　　　　　光学式タッチパネル
９Ａ　　　　入力操作領域
１１　　　　指示入力情報
【図１】
2004127073.tif 000003
【図２】
2004127073.tif 000004
【図３】
2004127073.tif 000005
【図４】
2004127073.tif 000006
【図５】
2004127073.tif 000007